(57)【要約】  ロック付きパッケージ（１０）には、ロック付きケース（１４)及び挿入物（１２）が含まれる。挿入物（１２）はロック付きケース（１４）内に保存される。ロック付きケース（１４）及び挿入物（１２）は、ケース（１４）または挿入物（１２）内に含まれる係合または受け用の相互部材（２９，３４）とともに、１つ以上の係合部材（２９）及び受け部材（３４）をそれぞれ備える。係合部材（２９）、受け部材（３４）または両者は、ロック付き容器（１０）のロック態様の選択的な取り外しを提供するよう取り外し可能とすることができる。例えば、係合部材（２９）は取り外し可能なポストとすることができ、ロック付きケース（１４）から選択的に取り外すことができる。【選択図】図１
2010528686.tif 000002
【特許請求の範囲】
【請求項１】
ケースを備え、
前記ケースは、空所を定義するよう構成された複数の側面と、
前記複数の側面の少なくとも１つに形成された１つ以上の移動自在なパッドと、
前記移動自在なパッドの少なくとも１つに取り付けられた第１係合機構とを備え、
前記１つ以上の移動自在なパッドが、前記第１係合機構を移動可能に構成されることを特徴とする保存及び調合システム。
【請求項２】
摺動部材が少なくとも部分的に通過する前記空所に近接した開口をさらに備えることを特徴とする請求項１に記載のシステム。
【請求項３】
前記前記空所内に少なくとも部分的に挿入するよう構成された摺動部材をさらに備えることを特徴とする請求項２に記載のシステム。
【請求項４】
前記摺動部材は、第２係合機構を備え、前記ケースは、前記第１係合機構から前記第２係合機構を選択的に解放するリリース手段をさらに備えることを特徴とする請求項３に記載のシステム。
【請求項５】
前記１つ以上の移動自在なパッドは、第１位置から第２位置へ前記第１係合機構を移動し得るよう構成され、
前記第１位置は、前記第１係合機構が前記第２係合機構に係合し得る位置であり、
前記第２位置は、前記第１係合機構が前記第２係合機構に係合し得ない位置であることを特徴とする請求項３に記載のシステム。
【請求項６】
前記リリース手段は、周囲及びヒンジにより少なくとも部分的に定義されることを特徴とする請求項４に記載のシステム。
【請求項７】
前記第２位置は、前記ケースから前記移動自在なパッドの取り外しをさらに備えることを特徴とする請求項５に記載のシステム。
【請求項８】
前記ケースは、前記移動自在なパッドを定義するための、前記第１係合機構を少なくとも部分的に取り囲む第１フランジブルラインをさらに備えることを特徴とする請求項６に記載のシステム。
【請求項９】
前記第１係合機構は、ポストを含むことを特徴とする請求項６に記載のシステム。
【請求項１０】
前記リリース手段及び前記第１係合機構は、フランジブルラインにより取り外し可能に連結されることを特徴とする請求項６に記載のシステム。
【請求項１１】
前記第１フランジブルラインに近接したリリーススロットをさらに備えることを特徴とする請求項８に記載のシステム。
【請求項１２】
第２側面に連結された第１側面と、
摺動部材に配置された第２係合機構を係合するために操作可能な、前記側面の１つに設けられた第１係合機構と、
前記第２係合機構から前記第１係合機構を解放するためのリリース手段と、
前記第１係合機構を少なくとも部分的に取り囲み、前記第１係合機構を移動可能とするよう構成されたフランジブルラインとを備えることを特徴とする摺動部材用ロック付きケース。
【請求項１３】
前記第１係合機構は、前記ロック付きケースから取り外すことができることを特徴とする請求項１２に記載のケース。
【請求項１４】
前記リリース手段は、周囲及びヒンジにより定義されることを特徴とする請求項１３に記載のケース。
【請求項１５】
取り外し可能なパッドを少なくとも部分的に定義し、前記第１係合機構に近接した第１フランジブルラインをさらに備えることを特徴とする請求項１３に記載のケース。
【請求項１６】
内部係合機構及び外部リリーススロットを備えたロック付きケースにアクセスする工程と、
前記外部リリーススロット内にツールを少なくとも部分的に挿入する工程と、
前記ツールを用い、前記内部係合機構を少なくとも部分的に取り囲む部材を前記ケースから取り外す工程と、
前記ロック付きケースから前記係合機構を少なくとも部分的に取り外す工程とを備えることを特徴とするロック態様の選択的解除方法。
【請求項１７】
複数の側面と、
前記複数の側面の少なくとも１つに取り付けられた第１係合機構と、
前記第１係合機構を少なくとも部分的に取り囲み、前記第１係合機構が第１位置と第２位置との間を移動し得るよう構成された、フランジブルラインとを備えることを特徴とするアイテムを保存及び調合するケース。
【請求項１８】
前記複数の側面は、ベース及びトップを含み、
前記第１係合機構は、前記トップ及び前記ベースの少なくとも一方から延在することを特徴とする請求項１７に記載のケース。
【請求項１９】
前記第１位置は、摺動部材と協働する第２係合機構が前記第１係合機構に係合し得る位置であり、
前記第２位置は、前記第２係合機構が前記第１係合機構に係合し得る位置であることを特徴とする請求項１８に記載のケース。
【請求項２０】
前記第２位置は、前記ケースから前記第１係合機構の取り外しをさらに含むことを特徴とする請求項１９に記載のケース。
【請求項２１】
前記フランジブルラインに近接したリリーススロットをさらに備えることを特徴とする請求項２０に記載のケース。
【請求項２２】
前記フランジブルラインは、切り口、切り込み、ギザギザ及び打ち抜き穴のうち少なくとも１つであることを特徴とする請求項１７に記載のケース。
【請求項２３】
前記フランジブルライン及び前記リリーススロットは、前記第１係合機構を完全に取り囲んでいないことを特徴とする請求項２０に記載のケース。
【請求項２４】
前記フランジブルラインは、前記第１係合機構を完全に取り囲んでいることを特徴とする請求項２１に記載のケース。
【請求項２５】
前記複数の側面の１つは、ベースを含み、
前記第１係合機構は、前記ベースに取り付けられ、
前記ベースは、前記第１係合機構に近接して配置されたリリースボタンをさらに備えることを特徴とする請求項１７に記載のケース。
【請求項２６】
前記フランジブルラインは、少なくとも２つの端部を備え、
前記リリースボタンは、開口により少なくと部分的に形成され、
前記フランジブルラインの少なくとも一端は、前記開口で終わることを特徴とする請求項２５に記載のケース。
【請求項２７】
前記フランジブルラインは、連続していないことを特徴とする請求項１８に記載のケース。
【請求項２８】
前記リリースボタンは、開口により少なくと部分的に形成され、
前記フランジブルライン、前記リリースボタン及び前記開口のそれぞれは、前記第１係合機構に近接することを特徴とする請求項２５に記載のケース。
【請求項２９】
第２係合機構を含む摺動部材をさらに備え、
前記第１係合機構は、前記摺動部材が前記ケース内に挿入された場合に前記第２係合機構に係合するよう操作されることを特徴とする請求項１８に記載のケース。
【請求項３０】
内部係合機構及び外部リリース領域を備えたロック付きケースにアクセスする工程と、
前記外部リリースに近接し、前記内部係合機構に近接する部材を移動する工程と、
第１位置から第２位置に前記係合機構を移動させる工程とを備えることを特徴とするロック態様の選択的解除方法。
【請求項３１】
前記係合機構の移動工程は、前記内部係合機構が前記ケースに取り付けられた第１位置から、前記内部係合機構が前記ケースに取り付けられない第２位置に前記係合機構を移動させる工程をさらに備えることを特徴とする請求項３０に記載の方法。
【発明の詳細な説明】
【技術分野】
【０００１】
この出願は、以下に引用文献に含まれた２００７年５月２２日付け米国暫定特許出願第６０／９３９，４８４号の利益を請求する。
【０００２】
本発明は、一般的にロック付きパッケージに関するものである。より具体的には、本発明は、ロック付きケースに用いられる選択的ロック機構に関するものである。
【背景技術】
【０００３】
容器を開くために複雑な操作を必要とする、子供のいたずら防止機能付きまたはロック付きの容器は、数多く用いられている。ロック付き容器の１つの使用方法としては、錠剤及びタブレット状の薬剤及び医薬品の調合の制御に用いられる。例えば、薬瓶のロックキャップがよく知られている。典型的なロックキャップ機構には、医薬品に接するために、容器からを取り外すようキャップの回転とともに、調整された配列及び傾斜、軸方向圧力、または内径方向の圧縮が要求される。
【０００４】
他の例においては、薬剤は、子供のいたずら防止を確実にすることは困難である従来の平坦な箱に包装されている。タブレット状の多くの医薬品は、ブリスターパック状、具体的には、ブリスターからタブレットを取り出す際に穴を開けられるバリアによって密封されるシート上に形成されてブリスター状で販売されている。１つ以上のブリスターパックを保持する典型的な厚紙の平坦な箱が開封されると、パッケージの全内容物が露出され、タブレットの全てが直ぐに利用できる。
【発明の開示】
【発明が解決しようとする課題】
【０００５】
消費しようとしていない大量のタブレットに子供が接触してしまうのは明らかに危険である。
【課題を解決するための手段】
【０００６】
本発明の実施形態は、アイテム、例えば、トレー、仕切のある引出、ブリスターカード、ブリスターパック等（「摺動自在なカード」）を保持する摺動部材で包装された医薬品の保存及び調合用の子供のいたずら防止ロック付き容器に関するものである。摺動自在なカードは、従来のブリスターパッケージとして示されているが、摺動部材は当業者が公知なトレー、摺動自在なパッケージやあらゆるパッケージとしてもよい。このロック付き容器は、摺動自在なカードを収容する空所を形成するために３つの側面が閉じられたツーピース成形プラスチック容器として示されている。摺動自在なカードは、ロック付き容器の解放した４つ目の側面を通って摺動自在に出し入れできる。あるロック付き容器上に成形された柱は、他のロック付き容器上に対応して成形された中空の円筒と連結され、ある実施形態においては、密封され、または密着される。他の取付機構を用いることもでき、また、このような他の機構の使用も期待される。
【０００７】
ロック付き容器には、１つ以上のロック態様が含まれる。ロック態様には、ロック付き容器の１つまたは２つの部分上に形成された係合機構が含まれる。係合機構には、例えば、１つ以上のポスト、開口、ツメ、へり、ホック、接着剤、金属及び／または磁石面、ＶＥＬＣＲＯ（登録商標）締め具、その他の機構（「ポスト」）が含まれる。摺動カードが容器内に挿入されると、摺動カード上または摺動カード内に形成された受け機構に、係合機構が係合する。受け機構には、例えば、１つ以上の開口、ポスト、ツメ、へり、ホック、接着剤、金属及び／または磁石面、ＶＥＬＣＲＯ（登録商標）締め具、その他の機構（「開口」）が含まれる。リリースボタンは、ロック付き容器上に配置され、ポストに近接して配置される。１つ以上のリブ、スプリング及び／または他の傾斜機構は、圧縮力を作用するように係合または受け機構に近接して配置され、これにより、係合機構を受け機構に係合させる。リリースボタンの押しつけにより、係合及び受け機構を解除するよう摺動カードが操作され、摺動カードが摺動自在に取り外される。
【０００８】
また、時には、ロック付き容器のロック態様を解除することが望ましい。したがって、ここで開示及び記載されたいくつかの実施形態のロック付き容器には、ロック解除態様が備えられている。ロック解除態様は、ロック付き容器と一体化されていても、ロック付き容器に取り付けられていてもよい。一実施形態においては、ロック解除態様には、係合機構、受け機構またはその両者を取り囲み、ロック付きケース内に形成されたフランジブルラインが設けられている。ロック付き容器のロック態様を解除することをユーザーが望む場合には、フランジブルラインが切り離され、係合機構、受け機構またはその両者がロック付きケースから取り外される。
【０００９】
他の実施形態においては、フランジブルラインにより、係合機構、受け機構またはその両者にリリースボタンが連結されている。係合機構、受け機構またはその両者は、フランジブルラインにより定義されてもよい。また、リリースボタンのヒンジは、フランジブルラインであってもよい。このように、ユーザーは、リリースボタン、係合機構またはその両者を選択的に取り外すことができる。さらに、ユーザーは、上記で簡単に記載した容器と同様に機能させるため、リリースボタンと係合機構、受け機構またはその両者との間のフランジブルラインを切り離すことができる。もちろん、ユーザーは、ロック態様の容器を使用し、その後所定の時間にユーザーの必要に応じてロック態様を解除させることもできる。
【００１０】
また、保存及び調合システムにはケースが含まれる。ケースには、複数の側面が備えられている。１つ以上の側面には、第１係合機構が設けられる。第１係合機構の移動を可能とするよう構成された移動自在なパッドにより、第１係合機構が部分的または全体的に取り囲まれている。
【００１１】
本発明の一態様によれば、ケースには、摺動部材が設けられている。複数の側ｋめんは空所を形成するために連結されている。空所は、摺動部材を受けるよう構成されており、ケースには、摺動部材が少なくとも部分的に通過する空所に近接した開口が設けられている。
【００１２】
本発明の他の態様によれば、ケースには、第２係合機構から第１係合機構を選択的に解放するリリース手段が設けられている。
【００１３】
本発明の他の態様によれば、１つ以上の取り外しパッドが第１位置から第２位置に第２係合機構の移動を可能とするよう構成されている。第１位置は、第２係合機構が第１係合機構に係合できる位置である。第２位置は、第２係合機構が第１係合機構に係合できない位置である。
【００１４】
本発明の他の態様によれば、第２位置には、ケースから移動自在なパッドの取り外し手段が設けられている。
【００１５】
本発明の他の態様によれば、リリース手段は、周囲及びヒンジにより少なくとも部分的に定義される。
【００１６】
本発明の他の態様によれば、ケースには、取り外しパッドを定義するために、第２係合機構を少なくとも部分的に取り囲む第１フランジブルラインがさらに設けられている。
【００１７】
本発明の他の態様によれば、第２係合機構はポストである。
【００１８】
本発明の他の態様によれば、リリース手段及び係合機構は、フランジブルラインにより取り外し可能に連結されている。
【００１９】
本発明の他の態様によれば、ケースには、第１フランジブルラインに近接したリリーススロットが設けられている。
【００２０】
本発明の他の態様によれば、周囲はフランジブルラインである。
【００２１】
本発明の他の態様によれば、摺動部材用のロック付きケースには、第２側面に連結した第１側面が設けられている。第１係合機構は、側面の一方に設けられており、摺動部材には位置された第２係合機構を係合するよう構成されている。ケースには、第２係合機構から第１係合機構を解放するリリース手段と、第１係合機構を少なくとも部分的に取り囲む１つ以上の移動自在なパッドとが設けられている。移動自在なパッドは、第１係合機構の移動を可能とするよう構成されている。この移動には、第１係合機構が第２係合機構に係合できる位置からの第１係合機構の移動が含まれる。
【００２２】
本発明の一態様によれば、移動自在なパッドは、ロック付きケースから取り外すことができる。
【００２３】
本発明の他の態様によれば、リリース手段は、周囲及びヒンジにより定義されている。
【００２４】
本発明の他の態様によれば、ケースには、第１係合機構を少なくとも部分的に取り囲む第１フランジブルラインがさらに備えられている。フランジブルラインは、移動自在なパッドの全体または一部を定義する。
【００２５】
本発明の他の態様によれば、ロック付きケースのロック態様を選択的に解除する方法が開示されている。ロック付きケースには、係合機構が備えられており、係合機構は、取り外し可能に形成されている。係合機構は、ロック付きケースから取り外すことができる。
【００２６】
本発明の他の態様によれば、保存及び調合システムには、複数の側面のうち少なくとも１つに取り付けられた係合機構が設けられている。ケースには、係合機構を少なくとも部分的に取り囲む薄弱領域が設けられている。薄弱領域は、第１位置と第２位置との間で係合機構が移動できるよう構成されている。
【００２７】
本発明の一態様によれば、複数の側面には、ベース及びトップが設けられており、第１係合機構がトップまたはベースから延在している。
【００２８】
本発明の他の態様によれば、第１位置は、第２係合機構が第１係合機構に係合することができる位置である。第２位置は、第２係合機構が第１係合機構に係合することができない位置である。
【００２９】
本発明の他の態様によれば、第２位置は、ケースからの移動自在なパッドの取り外しを含んでいる。
【００３０】
本発明の他の態様によれば、第２位置は、ケースからの第１係合機構の取り外しを含んでいる。
【００３１】
本発明の他の態様によれば、ケースには、フランジブルラインと一体化したリリーススロットがさらに備えられている。
【００３２】
本発明の他の態様によれば、ケースには、フランジブルラインに近接したリリーススロットがさらに備えられている。
【００３３】
本発明の他の態様によれば、フランジブルラインは、１つ以上の切り口、切り込み、ギザギザ、打ち抜き穴、これらの組み合わせを含んでいる。
【００３４】
本発明の他の態様によれば、フランジブルライン及びリリーススロットは、第１係合機構を完全には取り囲んでいない。
【００３５】
本発明の他の態様によれば、フランジブルラインは、第１係合機構を完全に取り囲んでいる。
【００３６】
本発明の他の態様によれば、複数の側面には、ベースが備えられており、第１係合機構が、ベース、及び、ベースに形成され、第１係合機構に近接して配置されたリリースボタンに取り付けられている。
【００３７】
本発明の他の態様によれば、フランジブルラインには、少なくとも２つの端部が備えられており、リリースボタンが開口により少なくとも部分的に形成され、フランジブルラインの少なくとも１つの端部が開口で終わる。
【００３８】
本発明の他の態様によれば、フランジブルラインは連続していない。
【００３９】
本発明の他の態様によれば、リリースボタンは開口により少なくとも部分的に形成されており、フランジブルライン、リリーススロット及び開口は、第１係合機構を完全に取り囲んでいる。
【００４０】
本発明の他の態様によれば、ケースには、第２係合機構を備えた摺動部材が設けられており、第１係合機構は、摺動部材がケース内に挿入されると、第２係合機構を係合するよう操作される。
【００４１】
本発明の他の態様によれば、ロック態様を選択的に解除する方法には、内部係合機構及び外部リリース領域を含むロック付きケースにアクセスする工程と、リリース領域に近接し、内部係合機構に近接する部材を移動する工程と、第１位置から第２位置に係合機構を移動させる工程とを備えている。
【００４２】
本発明の一態様によれば、係合機構の移動工程には、係合機構がケースに取り付けられた第１位置から、係合機構がケースに取り付けられない第２位置に、係合機構を移動させる工程も含まれる。
【図面の簡単な説明】
【００４３】
【図１】本発明の一実施形態に用いられる模範的なロック付きケースの分解組み立て上方透視図である。
【図２】本発明の一実施形態に用いられる他の模範的なロック付きケースの上方透視図である。
【図３】本発明の一実施形態の模範的な機能解除ロック付きケースベースの透視図である。
【図４】図３の機能解除ロック付きケースの模範的な取り外し自在なロッキングポストの透視図である。
【図５】機能解除ロック付きケースの他の模範的な取り外し自在なロッキングポストの透視図である。
【図６】機能解除ロック付きケースの他の模範的な取り外し自在なロッキングポストの透視図である。
【図７】本発明の模範的な実施形態の図６の模範的な取り外し自在なロッキングポストを取り外す方法の説明図である。
【発明を実施するための最良の形態】
【００４４】
以下、請求する本発明の詳細な実施形態を開示する。開示された実施形態は、多様な変更態様及びこれらの組み合わせの単なる模範的な開示にすぎないことを理解する必要がある。以下、用語「模範的」は、実例、見本、模型またはひな形としての実施形態をさして拡張的に用いられる。図面は一定比率に縮小する必要はなく、いくつかの態様が特定の構成部分の詳細を示すために誇張または極小化されていてもよい。その他には、本発明を不明瞭としないために、公知の構成部分、システム、部材または方法については詳述していない。したがって、以下に示された特定の構造的及び機能的な詳細は、限定として解釈されるべきではなく、単なる請求項の根拠及び本発明を様々に用いる当業者への典型的な根拠として解釈されるべきである。
【００４５】
終始同様の符号は同様の態様を示した図面を参照し、本発明の実施形態を説明する。図１及び２は、本発明の概念を用いたロック付きパッケージの２つの模範的な実施形態を示している。２つの実施形態が示されているが、本発明の実施形態として用いられるロック付きパッケージの多くの考慮された実施形態があることを理解する必要がある。本明細書は、簡潔さのために２つの実施形態についての議論に限定している。
【００４６】
図１は、模範的なロック付きパッケージ１０の分解組み立て上方透視図を示している。ロック付きパッケージ１０には、摺動挿入物１２（「挿入物」）及びロック付きケース１４が含まれている。ロック付きケース１４は、ベース１６とトップ１８とを組み合わせることにより形成されている。ロック付きケース１４には、ベース１６、トップ１８または両者における開口２１により少なくとも部分的に形成された少なくとも１つのリリースボタン２０が設けられている。リリースボタン２０は、ケース１４とともに一体的に形成され、薄い弾力のあるヒンジ２２によりケース１４に連結されている。リリースボタン２０には、開口２１により定義され、少なくとも部分的に取り囲まれた自由端２４が設けられている。したがって、自由端２４は、ヒンジ２２周囲を回転し、ケース１４内に押しつけられる。自由端２４を押しつけることにより挿入物１２が解放される。リリースボタン２０の内側には、リリースボタン２０がケース１４内に押しつけられた際に挿入物に係合するリム２５が設けられている。以下に説明するように、リム２５により挿入物１２に力が加わると、挿入物１２がロック付きケース１４から引き出される。ロック付きケース１４には、１つ以上のロッキングポスト２９が設けられている。ポスト２９は、１つ以上の開口、ツメ、へり、ホック、接着剤、金属及び／または磁石面、ＶＥＬＣＲＯ（登録商標）締め具、その他の機構を代用することができること認識すべきである。
【００４７】
挿入物１２は、例えばブリスターパック、トレー、引き出し、カード等であってもよい。図１に示されたように、摺動挿入物１２には、１つ以上の製品内包ブリスター３０が含まれる。この実施形態においては、ブリスター３０は２列に配列される。挿入物１２は１つ以上の開口３４を備えている。開口３４は、１つ以上のポスト、ツメ、へり、ホック、接着剤、金属及び／または磁石面、ＶＥＬＣＲＯ（登録商標）締め具、その他の受け機構（「受け機構」）を代用することができること認識すべきである。受け機構３４は、係合機構２９に対向し、係合機構２９により係合される。図１に示された実施形態においては、リリースボタン２０がロック付きケース１４内に押しつけられるまで、挿入物１２の移動や取り出しを防ぐために、開口３４は、ブリスター３０の後方に配置され、ロッキングポスト２９と協働する。リリースボタン２０が押しつけられると、リム２５が挿入物１２に接触し、挿入物１２の開口３４を含む少なくとも一部がロッキングポスト２９との係合から持ち上げられる。開口３４及びロッキングポスト２９が解放された後に、挿入物１２がロック付きケース１４から取り外される。
【００４８】
図１及び２に示されるように、ロック付きケース１４には、傾斜部材３６、機械的締め具、化学的接着剤、その他の取付機構３８，４０、リブ４２、その他の態様が含まれる。図２に示されるように、ロック付きケース１４及び挿入物１２は、所望の構成を有することができ、図１に示されたような長方形とする必要はない。
【００４９】
上述の実施形態及び記載は、ロック付き容器１０の長所について述べている。しかしながら、一定の条件下においては、ロック機能は要求されない。例えば、ロック付き容器１０のブリスターパック１２内に薬剤を保持しているが、容器１０近傍に子供がいない状況である。また、容器１０近傍に子供がいるが、限られた時間のみでる状況である。このような環境においては、ロックまたは子供のいたずら防止機能が解除され、これにより、ロック付き容器１０及びその内容物を所有し、内容物を使用するユーザー、すなわち大人が、子供のいたずら防止機能を繰り返し処理することなく、内容物に接することができる。
【００５０】
したがって、本発明には、ロック付き容器１０のロック態様を選択的に解除する構造及び方法が含まれる。以下に開示された概念はあらゆるロック付き容器１０に適用することができ、示された実施形態に限定される物ではないことを理解すべきである。
【００５１】
図３は、本発明の他の実施形態のロック付き容器１０のベース１６を示している。このベース１６には、リリースボタン２０及びロッキングポスト２９が設けられている。示されたロッキングポスト２９は曲げて傾斜され、一般的な蹄鉄の形状であるが、ロッキングポスト２９があらゆる所望の形状を有することができ、図１及び２に示されたような実質的な円柱状に限定される物ではないことを理解すべきである。本発明の概念によれば、ロック付きケース１４のロック態様を解除する１つの方法は、上記のように、ロック付きケース１４から係合機構２９の取り外しであり、これにより、受け機構３４が係合されるのを防いでいる。
【００５２】
さらに図４及び５を参照すると、選択的に解除自在なロック機構を構成する２つの模範的な構造が示されている。図４及び５には、選択的に取り外し自在なロッキングポスト２９、すなわち、ロック付きケース１４のロック態様を選択的に解除する取り外しが示されている。図４においては、ロッキングポスト２９を一周するように第１フランジブルライン１００が示されている。
【００５３】
図４に示された実施形態においては、この構成が要求されるものではないが、フランジブル線１００は、開口２１から始まり、ロッキングポスト２９を一周し、次いで、開口２１に戻るように示されている。このフランジブルライン１００は、ロック付きケース１４内のギザギザまたは刻み目として示されているが、他の実施形態においては、フランジブルライン１００は、あらゆる切り口、切り込み、ギザギザ、打ち抜き穴、これらの組み合わせ等の範囲または連続であってもよい。例えば、フランジブルライン１００は、実質的な円とすることもできるし、ロッキングポスト２９を完全に取り囲むこともできる。このような構成を選択する場合には、ロッキングポスト２９はロック付きケース１４から完全に取り外してもよく、これにより、ロック付きケース１４内に円形の開口を残すこともできる。また、フランジブルライン１００は、リリースボタン２０及びヒンジ２２を用いた上記の説明のように、複数の線、すなわち、自由端及びヒンジを構成する切り離し手段であってもよい。このように、ロッキングポスト２９は、ロック付きケース１４から取り外すことなく、係合から回転される。
【００５４】
フランジブルライン１００のために選択された正確な構成にかかわりなく、ロック付きケース１４の周辺部材からロッキングポスト２９の一部または全部を切断し、引き裂きまたは切り離すことにより、ロッキングポスト２９を取り外すことを可能としている。図４に示されるように、フランジブルライン１００は、ロッキングポスト２９とともに取り外し可能なロッキングポストパッドを定義することもできる。
【００５５】
図５は、ロック付きケース１４の選択的に解除可能なロック態様を提供する他の実施形態を示している。図５においては、ロック付きケース１４には、開口２１、フランジブルヒンジ１０４及び第２フランジブルライン１０６により定義されるリリースボタン２０が設けられている。上記のように、リリースボタン２０は、フランジブルライン１００により定義されたロッキングポストパッド１０２に実質的に連結されている。ロック付き容器１０のロック態様を用いることを望むユーザーは、第２フランジブルライン１０６に沿ってロッキングポストパッド１０２からリリースボタン２０を切り離しまたは分離することができる。リリースボタン２０がロッキングポストパッド１０２から分離された後に、図１及び２に示されたロック付き容器の機能と同様にして、ロック付き容器１０が機能する。
【００５６】
一方、ロック付き容器１０のロック態様のユーザーがロック付き容器１０のロック態様を用いることを必要または所望ではない場合には、ユーザーは、フランジブルヒンジ１０４を切り離すことにより、ロック付きケース１４の周辺部材からリリースボタン２０を切り離しまたは分離することができる。フランジブルヒンジ１０４を切り離すことによりリリースボタン２０が周辺部材から切り離された後に、リリースボタン２０がタブとして操作される。第１フランジブルライン１００を切断するために、ユーザーはタブをロック付きケース１４から引っ張り、これにより、ロッキングポストパッド１０２及び取り付けられたロッキングポスト２９を取り外すことができる。
【００５７】
他の実施形態においては、ロッキングポストパッド１０２及び／またはロッキングポスト２９を取り外すために、他の方法及び構造を用いることができる。例えば、ロッキングポストパッド１０２及び／またはロッキングポスト２９を容易に取り外すために、第１フランジブルライン１００の代わりにまたは加えてロッキングポストパッド１０２またはロッキングポスト２９に近接するロック付きケース１４の部材を、ロック付きケース１４の他の部分より薄いまたは脆い部材とすることができる。
【００５８】
図６及び７は、ロック付き容器１０用の選択的に取り外し可能なロック機構を提供する他の構造を示している。図６及び７においては、ロック付きケース１４には、第１フランジブルライン１００と一体化または近接したリリーススロット１０８が設けられている。ロッキングポストパッド１０２及び／またはロッキングポスト２９を取り外すために、リリーススロット１０８内にツール１１０が挿入される。図７に示されるように、ロック付きケース１４の周辺部材からロッキングポストパッド１０２の一部または全部を探るために、ツール１１０が用いられる。
【００５９】
ロック付きケース１４のこの実施形態には、ベース１６及びトップ１８が含まれているが、ロック付きケース１４には２つの実質的に同様なパネルが含まれていることを考慮すべきである。例えば、多様に用いられるロック付きケース１４には、側面のそれぞれに取り外し可能なロッキングポストパッド１０２が含まれ、これにより、第１側面の子供のいたずら防止態様が解除された後に、第２側面の子供のいたずら防止態様を備えたロック付きケース１４をユーザーが用いることができる。このような実施形態においては、ユーザーは、少なくとも２回選択的に子供のいたずら防止態様を解除することができる。
【００６０】
同様に、多様に用いられるロック付きケース１４の他の実施形態には、ロッキングポストパッド１０２と実質的に同様ないどう自在なロッキングポストパッドが設けられている。移動自在なロッキングポストパッドは、部材の弱められた、移動自在なまたはフランジブルなラインあるいは領域により実質的に取り囲まれている。ロック付きケース１４の子供いたずら防止態様を解除することをユーザーが望んだ場合には、例えば、ロック付きケース１４からヒンジまたは他の類似な態様に沿って、移動自在なロッキングポストパッドが移動される。このように、挿入物１２を係合する位置から、係合部材、例えば、ロッキングポスト２９が移動される。ツールが移動自在なロッキングポストパッドとロック付きケース１４との間に挿入され、これにより、移動自在なロッキングポストパッド及び係合機構が解除方向に保持される。ケースの子供のいたずら防止態様を再び機能させることをユーザーが望んだ場合には、ツールが取り外され、移動自在なロッキングポストパッド及び係合機構が係合位置に戻される。
【００６１】
法律は要求しておらず、本クレームの可能な実施形態を説明及び開示することは経済的に法外なものである。これにより、上記の実施形態は単に開示の本質の明確な理解のための手段の模範的な説明にすぎない。したがって、クレームの目的から逸脱することのない範囲で、上記実施形態は変更、修飾及びこれらの組み合わせを行うことができる。これに鑑みて、この開示及び以下のクレームの目的には、このような変更、修飾及びこれらの組み合わせの全てが含まれる。
【図１】
2010528686.tif 000003
【図２】
2010528686.tif 000004
【図３】
2010528686.tif 000005
【図４】
2010528686.tif 000006
【図５】
2010528686.tif 000007
【図６】
2010528686.tif 000008
【図７】
2010528686.tif 000009
【国際調査報告】
2010528686.tif 000010
2010528686.tif 000011